(57)【要約】【課題】教員の持ち込みＰＣのような端末装置を、教室内に設置されたプロジェクタのような被操作装置にネットワークを介して接続することを、迅速且つ容易に行るようにする。【解決手段】  ネットワークに接続可能なＰＣと、ネットワークに接続された液晶プロジェクタであってそれぞれの教室に設置された液晶プロジェクタと、ネットワークに接続された接続管理サーバとを有するプレゼンテーションシステムであって、接続管理サーバは教室と液晶プロジェクタと、そのＩＰアドレスを対応づけて記憶しており、ＰＣは、ユーザが使用する教室に対応する液晶プロジェクタのＩＰアドレスを接続管理サーバから受信し、受信したＩＰアドレスに基づいて、画像データ及び操作命令をその液晶プロジェクタに送信し、液晶プロジェクタは、受信した画像データによる画像表示を実行し、操作命令に従った動作を実行する。【選択図】    図１
2009053733.tif 000002
【特許請求の範囲】
【請求項１】
ネットワークに接続可能な端末装置と、ネットワークに接続された被操作装置であってプレゼンテーション実行場所に設置された被操作装置と、ネットワークに接続された接続管理サーバとを有するプレゼンテーションシステムであって、
前記接続管理サーバはプレゼンテーション実行場所と被操作装置とを対応づけて記憶するとともに、各被操作装置のアドレス情報を記憶しており、
前記端末装置は、プレゼンテーション実行場所に対応する被操作装置のアドレス情報を前記接続管理サーバから受信し、受信したアドレス情報に基づいて、画像データ及び操作命令を前記被操作装置に送信し、
前記被操作装置は、受信した画像データによる画像表示を実行し、前記操作命令に従った動作を実行する、
ことを特徴とするプレゼンテーションシステム。
【請求項２】
前記端末装置のアドレスは動的に変化するアドレスであることを特徴とする、請求項１に記載のプレゼンテーションシステム。
【請求項３】
前記プレゼンテーションシステムは
端末装置から選択された被操作装置へのパケットを受け取るための第１のアドレスと、前記選択された被操作装置から前記端末装置へのパケットを受け取るための第２のアドレスとを有し、前記端末装置から前記第２のアドレスに宛てて送信されたパケットを前記選択された被操作装置宛てのパケットに変換して送信し、前記被操作装置から第２のアドレスに宛てて送信されたパケットを前記端末装置宛てのパケットに変換してこれを送信する、中継サーバをさらに有する
ことを特徴とする、請求項１又は２に記載のプレゼンテーションシステム。
【発明の詳細な説明】
【技術分野】
【０００１】
本発明は、プレゼンテーションシステムに関し、より詳しくは、ネットワークに接続された液晶プロジェクタなどの被操作装置を、ユーザが使用する持ち込みＰＣのような端末装置と接続して、プレゼンテーションを行うことを可能とするプレゼンテーションシステムに関する。
【背景技術】
【０００２】
昨今の映像音声関連の技術の発展普及により、各種の学校などで、液晶プロジェクタやＰＣ（パーソナルコンピュータ）などの映像音声機器を用いた授業や講義が広く行われるようになってきた。一般的には、映像音声機器を用いて講義を行う者（教員など）は、受講生に見せたい画像、スライド、ビデオを予め準備して記憶させたＰＣ（持ち込みＰＣと呼ぶ）を授業を行う教室に持ち込み、この持ち込みＰＣを教室に設置されているプロジェクタ（映像投影装置）に接続し、ＰＣで生成した画像をプロジェクタから教室内に設置されているスクリーン上に投影させると共に、ＰＣで生成した音声・音響をやはり教室内に設置されているアンプへ出力してスピーカより出力させる。
【０００３】
このように持ち込みＰＣのような映像音声機器を教室に持ち込んでプレゼンテーションを行う場合、ＰＣとプロジェクタをRGBケーブルで接続する必要があるが、この接続作業を行う煩雑さがあった。その煩雑さをなくし、RGBケーブルを接続せずにＰＣを、ネットワークを経由してプロジェクタに接続させ、プロジェクタによってＰＣの画面を投影できるようにした技術がある（例えば、特許文献１）
【特許文献１】特開２００２−２７９０９１号公開公報（例えば段落［００４５］）
【発明の開示】
【発明が解決しようとする課題】
【０００４】
上記の従来技術では、教室に設置されたプロジェクタで、ネットワークを経由したＰＣ画面の投影（以下、ネットワークプレゼンテーションと呼ぶ）を行うためには、下記のどちらかの条件を満たす必要がある。
【０００５】
＜条件１＞：教員の持ち込みＰＣとプロジェクタがネットワークの同一セグメントにあり、且つブロードキャストによる通信が可能であること。
＜条件２＞：持ち込みＰＣから、プロジェクタのＩＰアドレスを指定した通信が可能であること。
【０００６】
「条件１」が必要となる理由は以下の通りである。すなわち、教員の持ち込みＰＣは、管理上ＤＨＣＰサーバによって、予め教室内に設置されている機器とは異なるセグメントのＩＰアドレスを動的に振られることが多い。そのため、持ち込みＰＣは教室内のプロジェクタとは別セグメントになり、ブロードキャスト通信はネットワーク内のルータで遮断されるためである。
【０００７】
「条件２」が必要となる理由は以下の通りである。一般に、教員は授業を行う教室に設置されたプロジェクタのＩＰアドレスを知っていることはなく、設定ができない場合が多い。仮に教員が全教室のプロジェクタを知っていたとしても、複数の教室で授業を行う場合、そのたびに持ち込みＰＣにおいて、接続先とするプロジェクタのＩＰアドレス設定を変更しなければならず、煩雑な操作が必要になってしまい、迅速且つ円滑な事業の開始を行うことが難しい。
【０００８】
本発明の目的は、上記の条件１又は条件２に満たさなくとも、教員の持ち込みＰＣのような端末装置を、教室内に設置されたプロジェクタのような被操作装置にネットワークを介して接続することを、迅速且つ容易に行えるようにすることにある。
【課題を解決するための手段】
【０００９】
上記課題を解決するための手段として、本発明は以下の特徴を有する。
本発明は、ネットワークに接続可能な端末装置（例えば、ＰＣ４０）と、ネットワークに接続された被操作装置であってプレゼンテーション実行場所に設置された被操作装置（例えば、液晶プロジェクタ５０）と、ネットワークに接続された接続管理サーバ（例えば、接続管理サーバ３０）とを有するプレゼンテーションシステムとして提案される。
【００１０】
このプレゼンテーションシステムにおいて、接続管理装置はプレゼンテーション実行場所（例えば、教室など）と被操作装置とを対応づけて記憶するとともに、各被操作装置のアドレス情報を記憶しており、端末装置は、プレゼンテーション実行場所に対応する被操作装置のアドレス情報（例えば、ＩＰアドレス）を接続管理サーバから受信し、受信したアドレス情報に基づいて、画像データ及び操作命令を被操作装置に送信し、被操作装置は、受信した画像データによる画像表示を実行し、操作命令に従った動作を実行することを特徴としている。
【００１１】
本発明によれば、教員の持ち込みＰＣのような端末装置を、教室内に設置されたプロジェクタのような被操作装置にネットワークを介して接続することを、迅速且つ容易に行えるようにすることができる。
また、端末装置のアドレスは動的に変化するアドレスであってもよい。
【００１２】
また、プレゼンテーションシステムは、端末装置から選択された被操作装置へのパケットを受け取るための第１のアドレスと、選択された被操作装置から端末装置へのパケットを受け取るための第２のアドレスとを有し、端末装置から第２のアドレスに宛てて送信されたパケットを選択された被操作装置宛てのパケットに変換して送信し、被操作装置から第２のアドレスに宛てて送信されたパケットを端末装置宛てのパケットに変換してこれを送信する、中継サーバをさらに有していてもよい。
【００１３】
このような構成によれば、ＤＨＣＰサーバを使用するネットワークであって、端末装置と被操作装置が互いに異なるセグメントに属する場合であっても、両者の接続を行える環境を提供できる。
【発明の効果】
【００１４】
本発明によれば、教員の持ち込みＰＣのような端末装置を、教室内に設置されたプロジェクタのような被操作装置にネットワークを介して接続することを、迅速且つ容易に行えるようにすることが可能となる。
【発明を実施するための最良の形態】
【００１５】
以下、図面を参照しながら本発明の実施の形態を説明する。  
［１．プレゼンテーションシステムの構成例］
図１は、本実施の形態にかかるプレゼンテーションシステムの構成例を示すブロック図である。ここでいう「システム」とは、大学の教室のような講演や講義が行われる複数の場所（本発明の「プレゼンテーション実行場所」に相当する）に設置されたプロジェクタ（画像投影装置など）などのような機器（本発明の被操作機器に相当する）を、ＰＣ（パーソナルコンピュータ）などの端末装置（本発明の「端末装置」に相当する）と接続して、機器を利用したプレゼンテーションを端末装置により行うシステムである。なお、プレゼンテーションとは、図表、映像のような画像を聴衆／受講者／観衆に示しながら説明、講義、講演、授業（以下、単に「講義」という）などを行うことをいう。
【００１６】
本プレゼンテーションシステム１のユーザ（プレゼンテーションを行う者、例えば、講師、教師、説明担当者など）は、ＰＣ或いはネットワークに接続されたストレージにプレゼンテーションで使用する画像（静止画、グラフ、図表、動画）、音声などを記録したファイルを予め記憶させておく。ユーザは講義開始時に講義を行う教室などに設置されている液晶プロジェクタとＰＣとを、ネットワークを介して接続し、ＰＣから記憶したファイルの画像データを液晶プロジェクタに送信して、液晶プロジェクタはこのファイルの画像を教室内のスクリーンなどに表示する。
【００１７】
さて、プレゼンテーションシステム１は、ネットワーク１０にルータ２０を介して接続された端末装置３０と、ネットワーク１０にルータ２０を介して接続された接続管理サーバ４０と、ネットワーク１０にルータ２０を介して接続された被操作機器（ここでは、その一例として液晶プロジェクタ）５０とを有している。
【００１８】
なお、液晶プロジェクタ５０は、図１においては一台のみ図示しているが、液晶プロジェクタ５０は教室ごとに一又は複数台設置されるものであり、実際には複数台の液晶プロジェクタ５０がルータ２０を介してネットワーク１０に接続されている。
【００１９】
端末装置３０は、所望の液晶プロジェクタ５０，すなわち、本プレゼンテーションシステムのユーザは、端末装置３０を持ち込んでこれから講義などを行おうとしている教室に設置された液晶プロジェクタ５０を、端末装置３０を用いて選択し、使用することになる。
【００２０】
以下、プレゼンテーションシステムの構成要素について説明する。
【００２１】
［１．１．ネットワーク］
ネットワーク１０は、有線・無線、専用回線・交換回線を問わず、これに接続されている装置がそれぞれ目的とする装置に対しセッションを確立したときにその装置間での情報の送受を可能とするように作用する。ネットワークは、インターネットのように、ゲートウエイを介して複数のネットワークが組み合わされて実現しても構わない。また、その接続についてもいわゆるバックボーンといわれる基幹線に直接接続せずとも、ＰＰＰ接続などによって一時的に接続してあっても、セッションを確立したときにその間で情報の送受ができるようになっていれば構わない。
【００２２】
［１．２．ルータ］
ルータ２０は、ネットワーク（ＬＡＮとＬＡＮ，ＬＡＮとWAN）間の接続を行うネットワークデバイスのひとつである。
【００２３】
［１．３．接続管理サーバ］
接続管理サーバ３０は、ＰＣ４０が所望の液晶プロジェクタ５０と通信を行うための、液晶プロジェクタ５０のアドレス情報（例えば、ＩＰアドレス）を予め記憶しており、ＰＣ４０からの要求に応じて、ユーザが指定した教室の液晶プロジェクタ５０のアドレス情報をＰＣ４０に送信する機能を有する。
【００２４】
接続管理サーバ３０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの装置である。前記ＲＯＭ、若しくはハードディスク装置などにプログラムが記憶されており、このプログラムを主メモリ上に載せ、ＣＰＵがこれを実行することにより接続管理サーバ３０が実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。さらに、この接続管理サーバ３０は単体の装置で構成されていてもよいし、複数の装置をネットワークにより結合して構成されるものでもよい。
【００２５】
図２は、接続管理サーバ３０の構成例を示す機能ブロック図である。
接続管理サーバ３０は、ルータ２０を介してネットワーク１０に接続された通信制御部３０１と、通信制御部３０１に接続されたアドレス通知部３０２と、アドレス通知部３０２に接続された記憶部３０３とを有している。本明細書中「接続されている」とは、物理的電気的につながっていることだけでなく、ブログラムやプロセスが互いにデータや引数をやり取りできることも含めて、「接続されている」と表現する。
【００２６】
さて、通信制御部３０１は、ネットワーク１０を介して他の装置とデータやメッセージを送受信するため、所定のプロトコルの実行、及びデータと電気信号の相互変換を実行する機能を有し、例えば、ネットワークボード／ネットワークカード、ＬＡＮボードなどである。
【００２７】
アドレス通知部３０２は、ＰＣ４０からの要求に応じて、所定の入力インターフェイス画面を構成するデータ（例えば、ＨＴＭＬファイル）とともに、記憶部３０３に記憶されたアドレス情報をＰＣ４０に送信する機能を有する。
【００２８】
記憶部３０３は、本プレゼンテーションシステム１において利用可能な液晶プロジェクタ５０それぞれのアドレス情報を記憶する機能を有する。ここでは、各液晶プロジェクタ５０のアドレス情報はアドレステーブル３０４として記憶されているものとする。図３は、アドレステーブル３０４のデータ構成例を示す図である。図３に示したアドレステーブル３０４は、複数のレコード３５１の集まりで構成されており、各レコード３５１は、教室識別情報格納フィールド３５２と、プロジェクタ識別情報格納フィールド３５３と、プロジェクタアドレス情報格納フィールド３５４とを有している。教室識別情報格納フィールド３５２は、教室を一意に特定する情報である教室識別情報（例えば、教室番号）を格納するフィールドである。プロジェクタ識別情報格納フィールド３５３は、同一教室に複数の液晶プロジェクタ５０が設置されている場合に、ユーザに液晶プロジェクタ５０を区別するための情報（例えば、センター、リアなどの名称）を格納する。また、プロジェクタアドレス情報格納フィールド３５３は、そのレコードに対応する液晶プロジェクタ５０のアドレス情報（例えば、ＩＰアドレス）を格納する。なお、同一教室中に複数の液晶プロジェクタ５０が設置されている場合も考えられ、そのような場合については、同一教室識別情報を持つ２以上のレコード３５１がアドレステーブル３０４に格納されることになる。また、一教室には液晶プロジェクタ５０は一台のみ設置する場合には、プロジェクタ識別情報格納フィールド３５３は、不要である。
【００２９】
［１．４．ＰＣ］
次に、本発明の端末装置であるＰＣ４０について説明する。ＰＣ４０は、ユーザが講義などを行うに際し、資料や教材となる画像を、液晶プロジェクタ５０を通じて聴衆／受講者／観衆に示すための装置として機能する。ＰＣ４０は、所望の液晶プロジェクタ５０と通信を確立する際に、接続管理サーバ３０に、その液晶プロジェクタ５０のアドレス情報を問い合わせ、接続管理サーバ３０から通知されたアドレス情報に基づいて、その液晶プロジェクタ５０とネットワーク１０を経由して通信を確立し、画像データの送信、液晶プロジェクタ５０に対する操作命令（例えば、投影開始、投影終了、ズーム、ピント合わせなど）の送信などを行う。
【００３０】
ＰＣ４０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばネットワーク通信機能を有する、コンピュータ、ＰＤＡ，携帯電話機などの装置である。前記ＲＯＭ、若しくはハードディスク装置などにプログラムが記憶されており、このプログラムを主メモリ上に載せ、ＣＰＵがこれを実行することによりＰＣ４０が実現され。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。
【００３１】
図４は、ＰＣ４０の構成例を示す機能ブロック図である。図４に示す例では、ＰＣ４０は、通信制御部４１０と、接続処理部４２０と、遠隔操作部４３０と、映像データ記憶部４４０と、入力部４５０と、出力部４６０とを有している。
【００３２】
通信制御部４１０はルータ２０を介してネットワーク１０と接続可能である。接続処理部４２０及び遠隔操作部４３０は、ネットワーク接続制御部４１０，入力部４５０，出力部４６０に接続されている。また、遠隔操作部４３０には、映像データ記憶部４４０が接続されている。
【００３３】
通信制御部４１０は、ネットワーク１０を介して他の装置とデータやメッセージを送受信するため、所定のプロトコルの実行、及びデータと電気信号の相互変換を実行する機能を有し、例えば、ネットワークボード／ネットワークカード、ＬＡＮボードなどである。
接続処理部４２０は、接続管理サーバ４２０から、接続したい液晶プロジェクタ５０のアドレス情報を問い合わせ、これを受け取る機能を有する。
【００３４】
遠隔操作部４３０は、接続処理部が取得したアドレス情報を用いて、所望の液晶プロジェクタ５０と通信を確立し、映像データの送信、及び液晶プロジェクタ５０への操作命令の送信を行う機能を有する。
【００３５】
映像データ記憶部４４０は、液晶プロジェクタ５０によって投影される画像を生成する画像データ（ワード、エクセル、パワーポイントなどのデータファイルを含む）を記憶する機能を有する。
【００３６】
入力部４５０は、ユーザの入力を受け付けこれを電気信号に変換して接続処理部４２０，遠隔操作部４３０に渡す機能を有し、例えば、キーボード、ポインティングデバイスなどである。
【００３７】
出力部４６０は、接続処理部４２０が接続管理サーバ１０より受信した入力インターフェイスを表示して、ユーザに入力を促す機能を有し、例えば、液晶ディスプレイ装置である。
【００３８】
［１．５．液晶プロジェクタ］
次に、液晶プロジェクタ５０について説明する。液晶プロジェクタ５０は、画像をスクリーンなどに投影する装置であって、ＰＣ４０から投影する画像を生成するための画像データ、及び操作命令を受け付け、これに応じてユーザが希望する画像を出力する装置であって、例えばネットワーク通信機能を備えた液晶プロジェクタ装置である。
【００３９】
図５は、液晶プロジェクタ５０の構成例を示す機能ブロック図である。図５に示す例において、液晶プロジェクタ５０は、ネットワーク通信制御部５０１と、機器制御部５０２と、画像データ処理部５０３と、画像出力部５０４とを有している。
【００４０】
通信制御部５０１は、ルータ２０を介してネットワーク１０と接続されている。機器制御部５０２，画像データ処理部５０３はともに通信制御部５０１及び画像出力部５０４に接続されている。
【００４１】
通信制御部５０１は、ネットワーク１０を介して他の装置とデータやメッセージを送受信するため、所定のプロトコルの実行、及びデータと電気信号の相互変換を実行する機能を有し、例えば、ネットワークボード／ネットワークカード、ＬＡＮボードなどである。
【００４２】
機器制御部５０２は、ＰＣ４０から受信した操作命令を解釈し、操作命令に応じた動作を行うよう画像出力部５０４を制御する機能を有する。
【００４３】
画像データ処理部５０３は、ＰＣ４０から受信した画像データを受け取り、これを画像出力部が扱えるデータ（例えば、ビットマップデータ）に変換して出力する機能を有する。
【００４４】
画像出力部５０４は、画像データ処理部５０３から受け取ったデータに基づいて、光学的に画像を出力する機能を有する。例えば、画像出力部５０４は、液晶ディスプレイパネル、レンズ、ズーム機構、焦点調節機構、ランプ、光軸調整機構などで構成される。画像出力部５０４は、画像データ処理部５０３から受け取ったデータに基づいて、光学画像を形成する投射光５０５を生成し、スクリーン５０６上に光学画像を形成する。また、画像出力部５０４は、機器制御部５０２からの命令に応じて、ランプのオン／オフ、倍率の調整（ズーム機構の駆動）、焦点の調節、投影方向の調節（投射方向の上下左右における調節）などを実行する。
以上で、プレゼンテーションシステム１の構成の説明を終了する。
【００４５】
［２．プレゼンテーションシステムの動作］
次に、プレゼンテーションシステム１の動作について、図６を参照しながら説明する。図６は、プレゼンテーションシステム１の動作例を示したシーケンス図である。
まず、ユーザはＰＣ４０を持参した状態でこれから講義などを行う教室に入室し、ＰＣ４０を、ルータ２０を介してネットワーク１０に接続する（図略）。例えば、ルータ２０に接続されているＬＡＮケーブルをＰＣ４０のＬＡＮコネクタに接続する、或いは、その教室を通信範囲内とするホットスポットと通信を確立することにより、無線ＬＡＮに接続する。
【００４６】
ネットワーク１０に接続を確立した後、ユーザはＰＣ４０から接続管理サーバ３０に入力インターフェイスを要求する入力インターフェイス要求メッセージを送信する（Ｓ１０）。入力インターフェイスは、ユーザがＰＣ４０と接続させることを希望する液晶プロジェクタ５０をユーザに特定させるための情報である。
【００４７】
入力インターフェイス要求メッセージを受信した接続管理サーバ３０は、ネットワーク１０，ルータ２０を介してＰＣ４０に入力インターフェイスとして機能するデータ（例えば、ＨＴＭＬデータ）を送信する（Ｓ２０）。入力インターフェイスとして機能するデータを受信したＰＣ４０は、その出力部４６０に入力インターフェイスを表示させて、ユーザの入力を待ち受ける（Ｓ３０）。
【００４８】
図７は、ステップＳ３０においてＰＣ４０の出力部４６０に表示される入力インターフェイス画面の一例を示している。この入力インターフェイス画面７００は、教室表示領域７０１と、プロジェクタ表示領域７０２と、接続ボタン７０３とを有している。教室表示領域７０１には、接続管理サーバ３０の記憶部３０３に記憶されたアドレステーブル３０４の内容に基づいて、ユーザが選択可能な教室の全部又は一部が一覧表示される。ユーザは、入力部４５０であるキーボードやポインティングデバイスを操作することにより、いずれかの教室を選択することができる。例えば、ユーザがこれから一号館の１０１教室において講義を行おうとしているとき、ユーザは入力部４５０を用いて、教室表示領域７０１に表示されている教室名の中から、「１０１教室」を選択する。ＰＣ４０，より詳しくは接続処理部４２０は、この選択された「１０１教室」を接続管理サーバ３０に通知し、接続管理サーバ３０は、１０１教室に対応する液晶プロジェクタ５０をアドレステーブル３０４から抽出し、ＰＣ４０に通知する（図略）。ＰＣ４０，より詳しくは接続処理部４２０は、通知された液晶プロジェクタ５０の識別情報（名称）を入力インターフェイス７００のプロジェクタ表示領域７０２に表示させる。図７に示した例では、「１０１教室」の「センター」と「リア」の二台の液晶プロジェクタ５０が表示されている。
【００４９】
ユーザはプロジェクタ表示領域７０２に表示された液晶プロジェクタ５０からいずれか一台を、入力部４５０を用いて選択する。プロジェクタ表示領域７０２に表示された液晶プロジェクタ５０の選択を行った後、ユーザが接続ボタン７０３を所定の操作（例えば、マウスによるダブルクリック、エンターキーの押下など）で活性化させると、ＰＣ４０、より詳しくは接続処理部４２０は、選択された液晶プロジェクタ５０のアドレス情報を要求するメッセージを接続管理サーバ３０に送信する（Ｓ４０）。このメッセージを受信した接続管理サーバ３０は、記憶部３０３のアドレステーブル３０４を参照して、選択された液晶プロジェクタ５０のアドレス情報を抽出し、このアドレス情報をＰＣ４０に送信する（Ｓ５０）。
選択された液晶プロジェクタ５０を受信したＰＣ４０，より詳しくは接続処理部４２０はアドレス情報を記憶する（Ｓ６０）。
【００５０】
次に、ＰＣ４０、より詳しくは遠隔操作部４３０は、接続処理部４２０から選択された液晶プロジェクタ５０のアドレス情報を取得し、このアドレス情報が示すアドレスに宛てて通信要求メッセージを送信する（Ｓ７０）。この通信要求メッセージはルータ２０，及びネットワーク１０を経由して液晶プロジェクタ５０に到達する。
【００５１】
通信要求メッセージを受信した液晶プロジェクタ５０は、通信確認メッセージをＰＣ４０に宛てて送信する。ＰＣ４０のアドレス情報は通信要求メッセージ、或いはこのメッセージを構成するパケットに記述されているので、液晶プロジェクタ５０はＰＣ４０が動的に変化するアドレス（例えば、ＤＨＣＰ（Dynamic Host Configuration Protocol）サーバによって割り振られる一時的なＩＰアドレス）であっても、ＰＣ４０と液晶プロジェクタ５０間の通信は確立される。
【００５２】
ＰＣ４０と液晶プロジェクタ５０との間の通信が確立（アドレスの交換が成立）すると、ＰＣ４０、より詳しくは遠隔操作部４３０は、映像データ記憶部４４０からプレゼンテーションに使用する画像データを取得し、これを液晶プロジェクタ５０に送信し、またランプの点灯、焦点の調整、光軸の調整などを液晶プロジェクタ５０に行わせるための操作命令をアドレス情報が示すアドレスに宛てて送信する（Ｓ９０）。液晶プロジェクタ５０は、画像データ、操作命令を受信して、スクリーン５０６上に画像を形成させるのに必要な動作を行う（Ｓ１００）。これにより、ユーザが受講者に示したい画像を、自分で持ち込んだＰＣ４０によって、教室内の液晶プロジェクタ５０によりスクリーン５０６上などに投影させ、受講者に示すことができる。
【００５３】
ユーザは、ＰＣ４０によるプレゼンテーションを終了すると、ＰＣ４０の入力部４５０による終了操作（例えば、操作インターフェイス画面における操作終了ボタンのクリック、など）を行う。ＰＣ４０は、液晶プロジェクタ５０のアドレス情報に基づいて、液晶プロジェクタ５０に宛てて接続終了メッセージを送信する（Ｓ１１０）。接続終了メッセージを受信した液晶プロジェクタ５０は、ランプの消灯など終了時に実行する所定の動作を行うと共に、接続終了確認メッセージをＰＣ４０に送信する（Ｓ１２０）。これによりＰＣ４０と液晶プロジェクタ５０間の通信は終了する。
【００５４】
［２．本発明の第２の実施形態］
次に、本発明の第２の実施形態について説明する。
図８は、本発明の第２の実施形態にかかるプレゼンテーションシステム２の構成例を示すブロック図である。本発明の第２の実施形態にかかるプレゼンテーションシステムは、ルータ２０を介してネットワーク１０に接続された中継サーバ６０をさらに有している点を除いて、第１の実施の形態にかかるプレゼンテーションシステム１と同じである。そのため、プレゼンテーションシステム１と同一の構成要素については同一の参照符号を付し、それら同一の構成要素についての詳細な説明は省略する。
【００５５】
中継サーバ６０は、ＰＣ４０と、ユーザが選択した液晶プロジェクタ５０との間で送受信されるパケットを中継するための装置である。
【００５６】
中継サーバ６０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの装置である。前記ＲＯＭ、若しくはハードディスク装置などにプログラムが記憶されており、このプログラムを主メモリ上に載せ、ＣＰＵがこれを実行することにより中継サーバ６０が実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。さらに、この接続管理サーバ６０は単体の装置で構成されていてもよいし、複数の装置をネットワークにより結合して構成されるものでもよい。
【００５７】
中継サーバ６０は、ＰＣ４０から選択された液晶プロジェクタ５０へのパケットを仮想プロジェクタとして受け取り、このパケットを実際の選択された液晶プロジェクタ５０宛てのパケットに変換してこれを送信する。また、中継サーバ６０は、選択された液晶プロジェクタ５０からＰＣ４０宛てに送信されるパケットを仮想ＰＣとして受信し、このパケットを実際のＰＣ４０宛てのパケットに変換してこれを送信する。
【００５８】
ＰＣ４０は、ＤＨＣＰサーバ（図略）により動的にＩＰアドレスが割り当てられる。ＰＣ４０は、中継サーバ６０に自己のＩＰアドレスを知らせ自動登録してもらう。ＰＣ４０に新たなＩＰアドレスが振り直された場合は、ＰＣ４０は新しいＩＰアドレスを自己のアドレスとして中継サーバ６０に通知し、更新してもらう。
【００５９】
なお、中継サーバ６０は、複数の仮想ＰＣアドレスと、仮想プロジェクタアドレスを有しており、ＰＣ４０の動的なアドレスを仮想ＰＣアドレスに対応付け、またそれぞれの液晶プロジェクタ５０のアドレスを仮想プロジェクタアドレスに対応づけて記憶する機能を有している。
【００６０】
本実施の形態によれば、液晶プロジェクタ５０へＰＣ４０のアドレスを毎回登録する必要が無くなり、またＤＨＣＰサーバを使用するネットワークであって、液晶プロジェクタ５０、ＰＣ４０が互いに異なるセグメントに属する場合であっても、両者の接続を行える環境を提供できる。
【図面の簡単な説明】
【００６１】
【図１】本発明の実施の形態にかかるプレゼンテーションシステムの構成例を示すブロック図
【図２】接続管理サーバの構成例を示す機能ブロック図
【図３】アドレステーブルのデータ構成例を示す図
【図４】ＰＣの構成例を示す機能ブロック図
【図５】液晶プロジェクタの構成例を示す機能ブロック図
【図６】プレゼンテーションシステムの動作例を示したシーケンス図
【図７】ＰＣの出力部に表示される入力インターフェイス画面の一例を示した図
【図８】第２の実施の形態にかかるプレゼンテーションシステムの構成例を示すブロック図
【符号の説明】
【００６２】
１    …  プレゼンテーションシステム
１０    …  ネットワーク
３０    …  接続管理サーバ
４０    …  ＰＣ（端末装置）
５０    …  液晶プロジェクタ（被操作装置）
６０    …  中継サーバ
【図１】
2009053733.tif 000003
【図２】
2009053733.tif 000004
【図３】
2009053733.tif 000005
【図４】
2009053733.tif 000006
【図５】
2009053733.tif 000007
【図６】
2009053733.tif 000008
【図７】
2009053733.tif 000009
【図８】
2009053733.tif 000010